(57)【要約】【課題】携帯端末機器を利用して車内で操作するセルフ給油操作システム及びそのセルフ給油操作方法を提供する。【解決手段】給油機のコンピュータ１０または事務所（屋内）に設置されているＰＯＳ端末２０から、給油操作アプリケーションプログラムａを赤外線等の通信方法により携帯端末機器１へダウンロードする（Ｓ１）。給油操作アプリケーションプログラムａがダウンロード済みの携帯端末機器１を持っているセルフサービスシステムのガソリンスタンド利用者は、車内で給油操作アプリケーションプログラムａに従い油種等の選択や数値入力を実施し、給油情報ｂを携帯端末機器に記憶させる（Ｓ２）。携帯端末機器１に記憶された給油情報ｂを給油スペース（屋外）に設置されている給油機１０に赤外線等の通信方法により給油機のコンピュータ１０へ送信し、給油機のコンピュータ１０は給油操作を行う（Ｓ３）。【選択図】図２
2005239180.tif 000002
【特許請求の範囲】
【請求項１】
ガソリンスタンド利用者の持っている携帯端末機器と、ガソリンスタンドに設置された給油機のコンピュータと、ＰＯＳ端末とが通信ネットワークを介して接続され、前記給油機をセルフサービスで操作するセルフ給油操作システムであって、
前記給油機のコンピュータは、給油操作アプリケーションプログラムを前記携帯端末機器へダウンロードする手段を備え、
前記携帯端末機器は、ダウンロードされた前記給油操作アプリケーションプログラムに従い、油種情報の選択及び数値入力を実施し、給油情報を記憶する手段と、該記憶した給油情報を前記給油機のコンピュータに送信する手段とを備え、
前記給油機のコンピュータは、受信した前記給油情報に従い前記給油機に給油操作を行う手段を備える、セルフ給油操作システム。
【請求項２】
前記ＰＯＳ端末は、給油操作アプリケーションプログラムを前記携帯端末機器へダウンロードする手段を備える、請求項１に記載のセルフ給油操作システム。
【請求項３】
前記携帯端末機器は、次回の給油の際に、前記給油情報を記憶する手段に記憶された給油情報に変更がなければ、該給油情報を前記給油機のコンピュータに送信し、前記給油情報を記憶する手段に記憶された給油情報に変更があれば、該給油情報を修正入力して前記給油機のコンピュータに送信する手段を備える、請求項１または請求項２に記載のセルフ給油操作システム。
【請求項４】
前記給油操作アプリケーションプログラムを前記携帯端末機器へダウンロードする手段と、前記携帯端末機器により前記給油情報を前記給油機のコンピュータに送信する手段とは、赤外線の通信手段である、請求項１から請求項３のいずれか１項に記載のセルフ給油操作システム。
【請求項５】
ガソリンスタンド利用者の持っている携帯端末機器と、ガソリンスタンドに設置された給油機のコンピュータと、ＰＯＳ端末とが通信ネットワークを介して接続され、前記給油機をセルフサービスで操作するセルフ給油操作システムのセルフ給油操作方法であって、
前記給油機のコンピュータにより、給油操作アプリケーションプログラムを前記携帯端末機器へダウンロードするステップと、
前記携帯端末機器により、ダウンロードされた前記給油操作アプリケーションプログラムに従い、油種情報の選択及び数値入力を実施し、給油情報を記憶し、該記憶した給油情報を前記給油機のコンピュータに送信するステップと、
前記給油機のコンピュータにより、受信した前記給油情報に従い前記給油機に給油操作を行うステップとを備える、セルフ給油操作システムのセルフ給油操作方法。
【請求項６】
ガソリンスタンド利用者の持っている携帯端末機器と、ガソリンスタンドに設置された給油機のコンピュータと、ＰＯＳ端末とが通信ネットワークを介して接続され、前記給油機をセルフサービスで操作するセルフ給油操作システムのセルフ給油操作方法であって、
前記ＰＯＳ端末により、給油操作アプリケーションプログラムを前記携帯端末機器へダウンロードするステップと、
前記携帯端末機器により、ダウンロードされた前記給油操作アプリケーションプログラムに従い、油種情報の選択及び数値入力を実施し、給油情報を記憶し、該記憶した給油情報を前記給油機のコンピュータに送信するステップと、
前記給油機のコンピュータにより、受信した前記給油情報に従い前記給油機に給油操作を行うステップとを備える、セルフ給油操作システムのセルフ給油操作方法。
【請求項７】
前記携帯端末機器は、次回の給油の際に、前記記憶された給油情報に変更がなければ、該給油情報を前記給油機のコンピュータに送信し、前記記憶された給油情報に変更があれば、該給油情報を修正入力して前記給油機のコンピュータに送信するステップを備える、請求項５または請求項６に記載のセルフ給油操作システムのセルフ給油操作方法。
【請求項８】
前記給油操作アプリケーションプログラムを前記携帯端末機器へダウンロードするステップと、前記携帯端末機器により前記給油情報を前記給油機のコンピュータに送信するステップとは、赤外線の通信方法を用いる、請求項５から請求項７のいずれか１項に記載のセルフ給油操作システムのセルフ給油操作方法。
【発明の詳細な説明】
【技術分野】
【０００１】
本発明は、セルフ給油操作システム及びそのセルフ給油操作方法に関する。
【背景技術】
【０００２】
現在、ガソリンスタンドの利用者がセルフサービスで給油機を操作するセルフサービスシステムのガソリンスタンドが多く存在する。
【０００３】
従来の技術には、リモートコントローラへ計量機の状態情報を送信する状態送信手段と、リモートコントローラに設けられ状態送信手段から送信された情報を受信して表示する状態表示部とを備えてなり、給油所に設置されている複数の計量機のそれぞれの状態をその場で確認でき、給油許可の要求のあった計量機の状態を直ちに確認して給油許可をリモートコントローラから送信する、セルフ給油システムがある（特許文献１参照。）。
【０００４】
また、給油時、利用者は注文センタに携帯電話機を用いて電話し、ガソリンスタンドの使用する給油機を指定することにより、注文センタはガイド機能で携帯電話機に給油機を操作するガイドを送信すると共に、制御信号送受機能でＰＯＳ端末との間で通信回線を介して制御信号を送受信し、給油機には利用者が携帯電話機が受信したガイドに従ってプッシュボタンの操作を行うことにより、給油情報を入力し、給油操作を行う給油操作機能を設けた、セルフ給油システムがある（特許文献２参照。）。
【特許文献１】特開２０００−３３５６９６号公報
【特許文献２】特開２００１−４８３００号公報
【発明の開示】
【発明が解決しようとする課題】
【０００５】
従来の技術には、以下の問題点がある。
【０００６】
ガソリンスタンド利用者は、給油機を操作する為に車の外へ出る必要がある。
【０００７】
ガソリンスタンド利用者の多くは機械になれていない素人であるために、給油機の操作に慣れず操作に戸惑うことがある。
【０００８】
ガソリンスタンド利用者の多くは機械になれていない素人であるために、給油機の操作を敬遠して、セルフサービスのガソリンスタンドに行かないことがある。
【０００９】
上述の特許文献１及び特許文献２の従来の技術においても、セルフサービスで給油機を操作するセルフサービスシステムのガソリンスタンド利用者にとって、使い勝手のよいセルフ給油操作システムは開示されていない。
【００１０】
本発明の目的は、携帯端末機器を利用して車内で操作するセルフ給油操作システム及びそのセルフ給油操作方法を提供することにある。
【課題を解決するための手段】
【００１１】
本発明のセルフ給油操作システムは、
ガソリンスタンド利用者の持っている携帯端末機器と、ガソリンスタンドに設置された給油機のコンピュータと、ＰＯＳ端末とが通信ネットワークを介して接続され、給油機をセルフサービスで操作するセルフ給油操作システムであって、給油機のコンピュータは、給油操作アプリケーションプログラムを携帯端末機器へダウンロードする手段を備え、携帯端末機器は、ダウンロードされた給油操作アプリケーションプログラムに従い、油種情報の選択及び数値入力を実施し、給油情報を記憶する手段と、記憶した給油情報を給油機のコンピュータに送信する手段とを備え、給油機のコンピュータは、受信した給油情報に従い給油機に給油操作を行う手段を備える。
【００１２】
また、ＰＯＳ端末は、給油操作アプリケーションプログラムを携帯端末機器へダウンロードする手段を備えてもよい。
【００１３】
また、携帯端末機器は、次回の給油の際に、給油情報を記憶する手段に記憶された給油情報に変更がなければ、給油情報を給油機のコンピュータに送信し、給油情報を記憶する手段に記憶された給油情報に変更があれば、給油情報を修正入力して給油機のコンピュータに送信する手段を備えてもよい。
【００１４】
また、給油操作アプリケーションプログラムを携帯端末機器へダウンロードする手段と、携帯端末機器により給油情報を給油機のコンピュータに送信する手段とは、赤外線の通信手段であってもよい。
【００１５】
本発明のセルフ給油操作システムのセルフ給油操作方法は、
ガソリンスタンド利用者の持っている携帯端末機器と、ガソリンスタンドに設置された給油機のコンピュータと、ＰＯＳ端末とが通信ネットワークを介して接続され、給油機をセルフサービスで操作するセルフ給油操作システムのセルフ給油操作方法であって、給油機のコンピュータにより、給油操作アプリケーションプログラムを携帯端末機器へダウンロードするステップと、携帯端末機器により、ダウンロードされた給油操作アプリケーションプログラムに従い、油種情報の選択及び数値入力を実施し、給油情報を記憶し、記憶した給油情報を給油機のコンピュータに送信するステップと、給油機のコンピュータにより、受信した給油情報に従い給油機に給油操作を行うステップとを備える。
【００１６】
本発明のセルフ給油操作システムのセルフ給油操作方法は、
ガソリンスタンド利用者の持っている携帯端末機器と、ガソリンスタンドに設置された給油機のコンピュータと、ＰＯＳ端末とが通信ネットワークを介して接続され、給油機をセルフサービスで操作するセルフ給油操作システムのセルフ給油操作方法であって、ＰＯＳ端末により、給油操作アプリケーションプログラムを携帯端末機器へダウンロードするステップと、携帯端末機器により、ダウンロードされた給油操作アプリケーションプログラムに従い、油種情報の選択及び数値入力を実施し、給油情報を記憶し、記憶した給油情報を給油機のコンピュータに送信するステップと、給油機のコンピュータにより、受信した給油情報に従い給油機に給油操作を行うステップとを備える。
【００１７】
また、携帯端末機器は、次回の給油の際に、記憶された給油情報に変更がなければ、給油情報を給油機のコンピュータに送信し、記憶された給油情報に変更があれば、給油情報を修正入力して給油機のコンピュータに送信するステップを備えてもよい。
【００１８】
また、給油操作アプリケーションプログラムを携帯端末機器へダウンロードするステップと、携帯端末機器により給油情報を給油機のコンピュータに送信するステップとは、赤外線の通信方法を用いてもよい。
【００１９】
本発明は、セルフサービスで給油機を操作するセルフサービスシステムのガソリンスタンドに訪れた利用者が、従来まで車外に出て実施していた給油機または給油機に併設されていた機器の操作を携帯電話、ＰＨＳなどの携帯端末機器を利用して車内で操作するという発明である。
【発明の効果】
【００２０】
本発明には、以下の効果がある。
【００２１】
第１の効果は、給油情報オペレーションを利用者が所有する携帯端末機器で実施することにより、車内で操作を実施することができることである。
【００２２】
第２の効果は、特殊な給油機に比べ利用者自身が所有する携帯端末機器での操作なので、操作に慣れることができることである。
【００２３】
第３の効果は、利用者の携帯端末機器に記憶されている前回の給油情報を取り出して利用することができるので、給油の度にすべての給油に関する情報を入力する必要がなく、煩雑さを軽減できることである。
【発明を実施するための最良の形態】
【００２４】
図１を参照すると、本発明の実施の形態のセルフ給油操作システムは、セルフサービスシステムのガソリンスタンド利用者の持っている携帯端末機器１と、セルフサービスシステムのガソリンスタンドの給油スペース（屋外）に設置されている給油機のコンピュータ１０、セルフサービスシステムのガソリンスタンドの事務所（屋内）に設置されているＰＯＳ端末２０とから構成される。
【００２５】
また、給油機のコンピュータ１０やＰＯＳ端末２０から携帯端末機器１にダウンロードする給油操作アプリケーションプログラムａと携帯端末機器１から給油機のコンピュータ１０に送信する給油情報ｂが図１に示されている。
【００２６】
携帯端末機器１とは、セルフサービスシステムのガソリンスタンド利用者が所有している携帯電話やＰＨＳ等の携帯端末機器で、給油機のコンピュータ１０とはセルフサービスシステムのガソリンスタンド各給油スペース（屋外）に設置されている給油を実施するための情報を収集し給油を実施するコンピュータで、ＰＯＳ端末２０とはセルフサービスシステムのガソリンスタンドの事務所（屋内）に設置されている情報処理機器のことである。
【００２７】
給油操作アプリケーションプログラムａとは給油をするために必要な油種等の情報を選択したり数値を入力したりするのに必要なオペレーションのアプリケーションプログラムのことで、給油情報ｂとは、給油をするために必要な油種等の情報のことである。
【００２８】
次に、本発明の実施の形態の動作について図２のフローチャートを用いて説明する。
【００２９】
図１で、給油操作アプリケーションプログラムａがダウンロードされていない携帯端末機器１を持っているセルフサービスシステムのガソリンスタンド利用者は、給油スペース（屋外）に設置されている給油機のコンピュータ１０または事務所（屋内）に設置されているＰＯＳ端末２０から、給油操作アプリケーションプログラムａを赤外線等の通信方法により携帯端末機器１へダウンロードする（Ｓ１）。
【００３０】
給油操作アプリケーションプログラムａがダウンロード済みの携帯端末機器１を持っているセルフサービスシステムのガソリンスタンド利用者は、車内で給油操作アプリケーションプログラムａに従い油種等の選択や、数値入力を実施し、給油情報ｂを携帯端末機器に記憶させる（Ｓ２）。
【００３１】
携帯端末機器１に記憶された給油情報ｂを給油スペース（屋外）に設置されている給油機１０に赤外線等の通信方法により給油機のコンピュータ１０へ送信し、給油機のコンピュータ１０は給油操作を行う（Ｓ３）。
【００３２】
送信した給油情報ｂは携帯端末機器１に記憶されているので、次回の給油の際にこれを取り出して給油情報ｂに変更がなければ、前回と同じ内容で給油情報ｂを給油機のコンピュータ１０へ送信する。給油情報ｂに変更があれば、これを適宜修正入力し給油機のコンピュータ１０へ送信する。
【図面の簡単な説明】
【００３３】
【図１】本発明の実施の形態のセルフ給油操作システムの構成を示す図である。
【図２】本発明の実施の形態のセルフ給油操作システムの動作のフローチャートを示す図である。
【符号の説明】
【００３４】
１    携帯端末機器
１０    給油機のコンピュータ
２０    ＰＯＳ端末
ａ    給油操作アプリケーションプログラム
ｂ    給油情報
【図１】
2005239180.tif 000003
【図２】
2005239180.tif 000004